(57)【要約】  【課題】  画像形成装置等に用いる原稿搬送装置の内部をメンテナンスのために下方から露出させる際に、外装カバーを外すなど複数の動作が必要である。また、原稿加圧シートが折れ曲がり、折り癖によって原稿を透明ガラス製プラテンに密着させることができなくなる。  【解決手段】  画像形成装置の上部に設けた原稿搬送装置２の下面のほぼ全域を、開閉可能な底板２５で形成し、底板２５の下面は原稿を押圧する加圧面である。また、底板２５は支点２５ａを中心として回動可能であり、原稿搬送路下面部材２１によって原稿搬送装置本体２１と係合されている。原稿搬送路下面部材７１は一端を原稿搬送装置本体２１に回動可能に支持され、他端に設けたピン７１ａを底板２５の回動端に設けた側壁２５ｂの溝２５ｃにスライド可能に係合されており、底板２５を開くと同時に開かれる。【選択図】      図３
2005348303.tif 000002
【特許請求の範囲】
【請求項１】
透明ガラス製プラテンおよび原稿搬送装置を上部に備え、前記原稿搬送装置は一側を開閉支点として垂直面内で開閉し、開閉軸線方向の一方の端部に原稿搬送部を有するものであり、前記プラテンの下方には原稿を読み取る第１の原稿読取り装置が設けられ、プラテン上面には、前記原稿搬送部によって原稿搬送路を自動搬送される原稿の搬送方向上流側より、各々前記第１の原稿読取り装置によって、前記自動搬送される原稿および前記プラテンの上に静置された原稿を読み取る自動搬送原稿読取り部および静置原稿読取り部が設定されている画像形成装置において、
前記原稿搬送装置の下面は、前記自動搬送原稿読取り部に対向する部分よりも前記原稿の搬送方向下流側から前記静置原稿読取り部に対向する部分にかけて、１枚の底板がこれを覆い、この底板は、前記自動搬送原稿読取り部から遠い方の端部の、前記開閉軸線と直交する回動軸線を回動支点として前記原稿搬送装置に開閉可能に支持されているとともに、その下面は前記静置原稿読取り部に置かれた原稿を上から押さえつける加圧面となり、また、前記原稿搬送路の、前記自動搬送原稿読取り部よりも下流部に、前記原稿搬送路の下面を構成する原稿搬送路下面部材を配置し、この原稿搬送路下面部材は、一端を回動中心部として原稿搬送装置本体に回動可能に支持され、他端をスライド係合部として前記底板の回動端にスライド可能に係合されており、この原稿搬送路下面部材を回動させると連動して前記底板が回動することを特徴とする画像形成装置。
【請求項２】
前記原稿搬送部の内部に、前記原稿搬送部によって自動搬送される原稿の、前記自動搬送原稿読取り部で読み取られる面の反対側の面を読み取る第２の原稿読取り装置が設けられ、前記第２の原稿読取り装置は前記原稿搬送路下面部材と対向する位置に配置されることを特徴とする請求項１に記載の画像形成装置。
【請求項３】
前記スライド係合部が、前記底板の回動方向に平行に伸びるように前記底板に形成された側壁に形成された溝と前記原稿搬送路下面部材の底板側の端に設けた係合ピンとにより構成され、前記溝が、前記底板の回動端側に向かって低くなるように傾斜していることを特徴とする請求項１または２に記載の画像形成装置。
【請求項４】
前記原稿搬送路下面部材に取っ手を設けたことを特徴とする請求項１〜３のいずれかに記載の画像形成装置。
【請求項５】
前記原稿搬送路下面部材に設けられたロック用ピンと、原稿搬送装置外壁の内側に設けられ、前記ロック用ピンに係合するフックとからなるロック手段を設け、前記ロック手段は前記底板の閉鎖状態を保持することを特徴とする請求項１〜４のいずれかに記載の画像形成装置。
【請求項６】
前記原稿搬送装置の前記底板の回動支点の両端および前記原稿搬送路下面部材の前記係合ピン近傍に、前記プラテンの上に静置された原稿を押さえつける方向に前記底板を付勢する付勢手段が取り付けられていることを特徴とする請求項１〜５のいずれかに記載の画像形成装置。
【発明の詳細な説明】
【技術分野】
【０００１】
本発明は、原稿搬送装置を備えた画像形成装置に関するものである。
【背景技術】
【０００２】
現在、複写機、ファクシミリ、スキャナ等、原稿読取り機能を有する画像形成装置において原稿搬送装置を備えたものが広く用いられている。原稿搬送装置は原稿搬送経路に多数のローラを備えており、また原稿搬送経路が曲線となっている等、内部機構が複雑であり、さらに原稿の紙質や状態もさまざまであるため、原稿が内部の原稿搬送経路に詰まることがある。その際、詰まった原稿を取り出すために、原稿搬送装置内部の原稿搬送経路を露出させる必要がある。
【０００３】
また、原稿の両面を同時に読み取り可能な複写機等の場合、原稿搬送装置内部にも原稿読取り部を備えており、その原稿読取り部の清掃等のためにも、原稿搬送装置内部を露出させる必要がある。
【０００４】
原稿搬送経路を露出させる手段として、特許文献１のように、外装カバーを外して上面から内部を露出させ、原稿搬送装置（自動原稿搬送装置）を透明ガラス製プラテン（コンタクトガラス）に対して開いて下面の加圧板を露出させた上で、上面から補助フレームを回動させて下面から原稿搬送経路を露出させるものが提案されている。
【０００５】
また、特許文献２のように、原稿搬送装置を透明ガラス製プラテン（ガラス板）に対して開いた上で、下面の補助枠体を開いて原稿搬送路を露出させるものも提案されている。
【０００６】
また、一般に原稿搬送装置の下面には、透明ガラス製プラテン上に載置した原稿をプラテンに密着させるため、スポンジなど柔らかい素材で裏打ちした合成樹脂製の加圧シートが取り付けられている。
【特許文献１】特許３４６４４６６号公報（第４頁、図４）
【特許文献２】特開２００１−３４１８６４号公報（第６頁、図３）
【発明の開示】
【発明が解決しようとする課題】
【０００７】
しかし、特許文献１のように、まず外装カバーを外してからでないと原稿搬送路を露出させることができないのでは、手間がかかり、また、外した外装カバーを静置する場所も必要となる。
【０００８】
また、特許文献２のように下面の補助枠体を開いて原稿搬送路を露出させるものでは、加圧シート（原稿押さえ板）が柔らかい素材で構成されている場合、加圧シートが折れてしまい、その折り跡により原稿が十分に透明ガラス製プラテンに対して押さえつけられず原稿がきれいに読み取られないことがある。
【０００９】
そこで本発明では、画像形成装置に用いる原稿搬送装置において、一度の動作で下面から原稿搬送装置内部を露出させることができるようにし、さらに、原稿搬送装置内部を露出させる際に加圧シートが折れないようにした画像形成装置を提供することを目的とする。
【課題を解決するための手段】
【００１０】
前記目的を達成するため、本発明の画像形成装置では、透明ガラス製プラテンおよび原稿搬送装置を上部に備え、前記原稿搬送装置は一側を開閉支点として垂直面内で開閉し、開閉軸方向の一方の端部に原稿搬送部を有するものであり、前記プラテンの下方には原稿を読み取る第１の原稿読取り装置が設けられ、プラテン上面には、前記原稿搬送部によって原稿搬送路を自動搬送される原稿の搬送方向上流側より、各々前記第１の原稿読取り装置によって、前記自動搬送される原稿および前記プラテンの上に静置された原稿を読み取る自動搬送原稿読取り部および静置原稿読取り部が設定されている画像形成装置において、前記原稿搬送装置の下面は、前記自動搬送原稿読取り部に対向する部分よりも前記原稿の搬送方向下流側から前記静置原稿読取り部に対向する部分にかけて、１枚の底板がこれを覆い、この底板は、前記自動搬送原稿読取り部から遠い方の端部の、前記開閉軸線と直交する回動軸線を回動支点として前記原稿搬送装置に開閉可能に支持されているとともに、その下面は前記静置原稿読取り部に置かれた原稿を上から押さえつける加圧面となり、また、前記原稿搬送路の、前記自動搬送原稿読取り部よりも下流部に、前記原稿搬送路の下面を構成する原稿搬送路下面部材を配置し、この原稿搬送路下面部材は、一端を回動中心部として原稿搬送装置本体に回動可能に支持され、他端をスライド係合部として前記底板の回動端にスライド可能に係合されており、この原稿搬送路下面部材を回動させると連動して前記底板が回動する構成とする。
【００１１】
また、本発明の画像形成装置では、前記原稿搬送部の内部に、前記自動搬送原稿読取り部で読み取られる面の反対側の面を読み取る第２の原稿読取り装置が設けられ、前記第２の原稿読取り装置は前記原稿搬送路下面部材と対向する位置に配置されるものとする。
【００１２】
また、本発明の画像形成装置では、前記スライド係合部が、前記底板の回動方向に平行に伸びるように前記底板に形成された側壁に形成された溝と前記原稿搬送路下面部材の底板側の端に設けた結合ピンとにより構成され、前記溝が、前記底板の回動端側に向かって低くなるように傾斜しているものとする。
【００１３】
また、本発明の画像形成装置では、前記原稿搬送路下面部材に取っ手を設けるものとする。
【００１４】
また、本発明の画像形成装置では、前記原稿搬送路下面部材に設けられたロック用ピンと、原稿搬送装置外壁の内側に設けられ、前記ロック用ピンに係合するフックとからなるロック手段を設け、前記ロック手段は前記底板の閉鎖状態を保持するものとする。
【００１５】
また、本発明の画像形成装置では、前記原稿搬送装置の前記底板の回動支点の両端および前記原稿搬送路下面部材の前記係合ピン近傍に、前記プラテンの上に静置された原稿を押さえつける方向に前記底板を付勢する付勢手段が取り付けられているものとする。
【発明の効果】
【００１６】
本発明による画像形成装置では、原稿搬送装置の下面は、自動搬送原稿読取り部に対向する部分よりも原稿の搬送方向下流側から静置原稿読取り部に対向する部分にかけて、１枚の底板がこれを覆い、この底板は原稿搬送装置に開閉可能に支持されている。この底板の回動端と原稿搬送装置本体とを、回動可能な原稿搬送路下面部材で連結するため、原稿搬送装置を開いた状態で底板を開くと同時に原稿搬送路下面部材が回動し、原稿搬送部の内部を露出させることができ、また、底板が必要以上に開かないため、開いた底板がプラテンにぶつかるなどの問題がなくなる。また、この底板の下面が原稿の加圧面となるため、柔らかい素材の加圧シートのように折れることがない。
【００１７】
また、本発明によれば、原稿搬送部の内部に、前記自動搬送原稿読取り部で読み取られる面の反対側の面を読み取る第２の原稿読取り装置を設けるため、自動搬送される原稿の両面を同時に読み取ることができる。
【００１８】
また、本発明によれば、スライド係合部が底板に形成された側壁に形成された溝と原稿搬送路下面部材の底板側の端に設けた結合ピンとにより構成され、原稿搬送装置が水平な状態での溝の位置が底板の回動端側に向かって低くなるように傾斜しているものとしたことにより、底板を開く際に原稿搬送路下面部材を回動させていく途中で底板が開放動作から閉鎖動作に転じるという現象を封じることができる。
【００１９】
また、本発明によれば、原稿搬送路下面部材に取っ手を設けるため、容易に底板を開くことができる。
【００２０】
また、本発明によれば、原稿搬送装置と原稿搬送路下面部材との間に底板の閉鎖状態を保持するロック手段を設けるため、原稿搬送装置を開いたときに底板が不用意に開くことがなくなる。
【００２１】
また、本発明によれば、原稿搬送装置の底板の回動支点の両端および原稿搬送路下面部材の結合ピン近傍に、プラテン上の原稿を押さえつける方向に前記底板を付勢する付勢手段が取り付けられているため、原稿がプラテン上に密着しやすくなる。
【発明を実施するための最良の形態】
【００２２】
以下、本発明の実施の形態を図を用いて説明する。図１は本発明の画像形成装置の実施形態に係る複写機の概略構成図である。本体ハウジング１は、上ハウジング１１と下ハウジング１３と、その間に位置する連結ハウジング１２とを有し、上ハウジング１１の上には原稿搬送装置２が載置される。原稿搬送装置２は紙面の奥側を開閉支点として開閉自在に取り付けられている。
【００２３】
原稿搬送装置２は、原稿搬送装置本体２１と、原稿載置部２２と、原稿搬送部２３と、原稿排紙トレイ２４と、底板２５とを備える。原稿排紙トレイ２４は、原稿搬送装置本体２１上面の一部として一体に形成されている。原稿載置部２２は原稿搬送路ｄの上流端をなし、原稿排紙トレイ２４は原稿搬送路ｄの下流端をなす。原稿搬送部２３内の原稿搬送路ｄには、原稿搬送方向上流側から順にピックアップローラ２３ａ、搬送ローラ対２３ｂ、レジストローラ対２３ｃ、原稿搬送路ｄの下面を構成する原稿搬送路下面部材７１および排出ローラ対２３ｄが設けられている。そして、原稿搬送路ｄのうち、レジストローラ対２３ｃから原稿搬送路下面部材７１までの区間には、自動搬送原稿読み取り部２７ａと、自動搬送原稿裏面読取り部２８が設定されており、第２の原稿読取り装置４が配置されている。自動搬送原稿読取り部２７ａは上ハウジング１１の上面の透明ガラス製のプラテン２７の上面に設定されており、自動搬送原稿裏面読取り部２８は原稿搬送路下面部材７１の上面に設定されている。第２の原稿読取り装置４は、原稿搬送部２３の内部に原稿搬送路下面部材７１に対向する形で設けられている。
【００２４】
原稿載置部２２にセットされた両面に画像が付された原稿（不図示）は、コピー開始ボタン（不図示）が押されると、前記各ローラによって原稿搬送路ｄを搬送され、途中自動搬送原稿読取り部２７ａで第１の原稿読取り装置３によって一方の面の画像が読み取られ、自動搬送原稿裏面読取り部２８で第２の原稿読取り装置４によってもう一方の面の画像が読み取られる。底板２５は原稿搬送装置２の下面の、原稿搬送路ｄの前記自動搬送原稿読取り部２７ａのすぐ下流部から、原稿搬送装置本体２１の原稿搬送部２３の設けられていない端部までを形成する。また、底板２５の下面は、プラテン２７上に載置された原稿を上から押さえつける加圧面となる。ここで、底板２５の下面にはスポンジなどからなる基部と、前記基部の原稿に接する側にビニールなどのシートを貼り付けた、柔らかい素材からなる加圧シートを取り付けてもよい。
【００２５】
第１の原稿読取り装置３は上ハウジング１１に内蔵されている。第１の原稿読取り装置３は、露光ランプ３１、反射板３２、第１のミラー３３、第２のミラー３４、第３のミラー３５、集光レンズ３６およびイメージセンサ（例えばライン型のＣＣＤ）３７を備える。露光ランプ３１および第１のミラー３３は第１のキャリッジ（不図示）上に搭載され、第２のミラー３４および第３のミラー３５は第２のキャリッジ（不図示）上に搭載されている。いわゆるシートスルー方式で原稿画像を読み取る場合には、第１のキャリッジが自動搬送原稿読取り部２７ａの直下に移動し、露光ランプ３１からの光照射光が移動中の原稿を露光する。照射光は第１のミラー３３、第２のミラー３４、第３のミラー３５および集光レンズ３６を通じてＣＣＤ３７に到達して光電変換処理を経て電気信号となるように読み取られる。他方、原稿固定方式で原稿画像を読み取る場合には、透明ガラス製のプラテン２７の上に設定された静置原稿読取り部２７ｂ上に載置された原稿の画像が、プラテン２７の下方を図１の右方向に移動する第１のキャリッジ上の露光ランプ３１および第１のミラー３３により読取走査を受けることにより、ＣＣＤ３７上に縮小結像され、光電変換処理を経て電気信号となるように読み取られる。
【００２６】
自動搬送原稿裏面読取り部２８においてもシートスルー方式の場合のみ自動搬送原稿読取り部２７ａと同様に、第２の原稿読取り装置４に内蔵されている露光装置により原稿画像が電気信号となるように読み取られる。
【００２７】
連結ハウジング１２内には排紙トレイ１４が設けられており、画像が形成された用紙Ｐが排出される。
【００２８】
下ハウジング１３内には、給紙部４、画像形成部５および定着装置６が内蔵されている。まず給紙部４について説明する。給紙部４は給紙カセット４１、給紙ローラ４２、給紙トレイ４３、給紙ローラ４４および搬送ローラ対４５からなる。下ハウジング１３の下部には用紙Ｐが収容された給紙カセット４１が配設され、用紙Ｐはここから給紙ローラ４２により１枚ずつ用紙搬送路４６へ送り出され、搬送ローラ４５によって搬送される。また、下ハウジング１３の左側下部には開閉可能な給紙トレイ４３が備えられており、ここに用紙Ｐを載置しておくことにより、前記と同様に用紙Ｐは給紙ローラ４４により１枚ずつ用紙搬送路４６へ送り出され、搬送ローラ４５によって搬送される。
【００２９】
次に画像形成部５について説明する。画像形成部５は、感光体ドラム５１と、その周囲に配設された帯電器５２、光走査ユニット５３、現像器５４、転写ローラ５５、クリーニング器５６とを備える。感光体ドラム５１は時計回りに回転し、まず帯電器５２により感光体ドラム５１の表面は均一に帯電される。次に、光走査ユニット５３から感光体ドラム５１の表面にレーザ光が照射されて、用紙Ｐに形成される画像の部分又は前記画像以外の部分に相当する電荷が消去され、感光体ドラム５１の表面に静電潜像が形成される。そして現像器５４によって感光体ドラム５１上の静電潜像にトナーが供給され静電潜像が顕像化する。
【００３０】
感光体ドラム５１がさらに回転し、トナー画像が転写ローラ５５と対向する位置に来たときに、それに合わせて、感光体ドラム５１と転写ローラ５５との間に用紙Ｐが搬送されてくる。このとき転写ローラ５５に、トナーの帯電極性と逆極性の電圧が印加されることにより、感光体ドラム５１上のトナー画像が用紙Ｐ上に転写される。感光体ドラム５１上の転写されなかった残留トナーはクリーニング器５６によって感光体ドラム５１上から除去される。一方トナー画像が転写された用紙Ｐは定着ローラ６１と加圧ローラ６２とが圧接してなる定着装置６に搬送され、ここでトナー画像は加熱・加圧されて用紙に定着する。その後用紙Ｐは排紙経路を通って排紙トレイ１４に排出される。
【００３１】
本発明において、図２に示す原稿搬送装置２を開いた状態での画像形成装置上部の外観斜視図の通り、原稿搬送装置２の下面は、自動搬送原稿読取り部２７ａに対向する部分よりも原稿の搬送方向下流側から静置原稿読取り部２７ｂに対向する部分にかけて底板２５で形成されている。
【００３２】
図２のように原稿搬送装置２が開いた状態のとき、図３および図４に示す原稿搬送装置２の外観斜視図および正面から見た概略構成図のように底板２５を開くことができる。底板２５は、原稿搬送装置本体２１に、自動搬送原稿読取り部２７ａに対向する部分から遠い方の端部の支点２５ａを支点として開閉可能に支持されている。また、底板２５には、底板２５の開閉方向に平行に延びるように形成された側壁２５ｂに溝２５ｃが設けられている。ここで、前述した原稿搬送路下面部材７１は一端を中心として回動可能に原稿搬送装置２に支持され、他端には結合ピン３１ａが設けられ、結合ピン３１ａは溝２５ｃにスライド可能に挿入されている。溝２５ｃは、原稿搬送装置２が水平な状態のとき、底板２５の回動端側に向かって低くなるように傾斜して設けられている。
【００３３】
底板２５を開く様子を図５の概略図に示す。手をかけて底板２５を開き、原稿搬送路下面部材７１を旋回させるに従って、原稿搬送路下面部材７１に設けられた結合ピン７１ａが底板２５に形成された側壁２５ｂに設けられた溝２５ｃをスライドする。溝２５ｃが、原稿搬送装置２が水平な状態のとき、底板２５の回動端側に向かって低くなるように傾斜して設けられているため、結合ピン７１ａが図４（ｃ）に示す下死点を通過したあとも原稿搬送路下面部材７１を旋回させても、底板２５は閉鎖動作に転じることなく開放動作を続けることがわかる。
【００３４】
このように構成することにより、原稿搬送装置２を開いた状態で底板２５を開くと同時に原稿搬送路下面部材７１が回動し、原稿搬送装置２の下面から原稿搬送部２３の内部を露出させることができ、原稿搬送部２３に詰まった原稿の除去や、第２の原稿読取り装置４の清掃を容易にすることができる。また、原稿搬送路下面部材７１で底板２５が原稿搬送装置２に対して必要以上に開くことがなくなるため、開いた底板２５がプラテン２７にぶつかる等の問題がなくなる。さらに、底板２５は開いても折れないため、柔らかい加圧シートのように開いて折れた場合にできる折り跡で原稿が十分にプラテン２７に対して押さえつけられず原稿がきれいに読み取られないことがなくなる。
【００３５】
また、溝２５ｃが、底板２５の回動端側に向かって低くなるように傾斜して設けられているため、溝２５ｃと底板２５との間隔が平行な場合のように底板２５を旋回させていく途中で底板２５が閉鎖動作に転じることがなくなり、十分に原稿搬送部２３の内部を露出させることができ、原稿搬送部２３に詰まった原稿の除去や、第２の原稿読取り装置４や原稿搬送路下面部材７１の清掃を容易にすることができる。
【００３６】
図６は原稿搬送路下面部材７１周辺の正面から見た概略構成図である。原稿搬送路下面部材７１には取っ手７１ｂが設けられており、また、原稿搬送装置２と原稿搬送路下面部材７１の間にはロック手段７２が設けられている。
【００３７】
取っ手７１ｂは、底板２５が閉じた状態において、底板２５に形成された側壁２５ｂに隠れない位置に設けられる。ロック手段７２は、フック７２ａと原稿搬送路下面部材７１に設けられたロック用ピン７２ｂとからなる。フック７２ａは上端部を支点７２ｃとして、原稿搬送装置２の外装内側に回転可能に設けられており、付勢手段により支点７２ｃを中心に右回りに付勢されている。底板２５が閉じた状態においてはフック７２ａがロック用ピン７２ｂに引っかかっており、底板２５を開く際にはフック７２ａを支点７２ｃを中心に左回りに動かしてロック用ピン７２ｂからフック７２ａを外す。
【００３８】
このように、原稿搬送路下面部材７１に取っ手７１ｂを設けることにより、容易に底板２５を開くことができる。また、取っ手７１ｂがない場合、底板２５を開く際に、底板２５だけでなく原稿搬送路下面部材７１に手をかけて開くこともあるが、取っ手７１ｂがあれば原稿搬送路下面部材７１の用紙搬送面や底板２５の用紙に接する面に触れずに済むため、これらの場所に汚れがつくなどの問題を避けることができる。また、ロック手段７２により、原稿搬送装置２を開いたときに底板２５が不用意に開くことがなくなる。
【００３９】
図７、図８は底板２５の支点２５ａ周辺および原稿搬送路下面部材７１周辺の概略構成図である。支点２５ａの両端および原稿搬送路下面部材７１の結合ピン７１ａ近傍には、プラテン２７上の原稿を押さえつける方向に底板２５を付勢するバネ８１およびバネ８２が取り付けられている。
【００４０】
支点２５ａは図７に示すように、浮動部材８３に設けられている。浮動部材８３は原稿搬送装置本体２１に形成されたポケット部２１ａの中に収納され、図の上下方向に一定ストロークの移動が可能である。浮動部材８３はバネ８１によりポケット部２１ａから押し出される方向に付勢されている。浮動部材８３をポケット部２１ａに挿入する際に、ポケット部２１ａの開口部で浮動部材８３に設けられたフック８３ａが撓み、ある程度挿入されるとポケット部２１ａ内で撓みが元に戻りフック８３ａにより浮動部材８３はポケット部２１ａから抜けなくなる。
【００４１】
結合ピン７１ａも同様に、図８に示すように浮動部材８４に設けられている。浮動部材８４は原稿搬送路下面部材７１に形成されたポケット部７１ｄの中に収納され、図の上下方向に一定ストロークの移動が可能である。浮動部材８４はバネ８２によりポケット部７１ｄから押し出される方向に付勢されている。浮動部材８４をポケット部７１ｄに挿入する際に、ポケット部７１ｄの開口部で浮動部材８４に設けられたフック８４ａが撓み、ある程度挿入されるとポケット部７１ｄ内で撓みが元に戻りフック８４ａにより浮動部材８４はポケット部７１ｄから抜けなくなる。また、図９は図８に示す部分の外観である。結合ピン７１ａは原稿搬送路下面部材７１に設けられた溝７１ｅから露出している。
【００４２】
浮動部材８３はポケット部２１ａの中でフック８３ａが動く範囲の一定ストロークで図の上下に移動することができ、原稿搬送装置２が閉じられると、バネ８１に付勢されながらポケット部２１ａの奥に押し込まれる。浮動部材８４も同様に、ポケット部７１ｄの中でフック８４ａが動く範囲の一定ストロークで図の上下に移動できる。図８、図９はいずれも原稿搬送装置２を閉じている時の状態である。原稿搬送装置２を開いている時は、バネ８１およびバネ８２により浮動部材８３および浮動部材８４が図の下方に押し出される。
【００４３】
このように構成することにより、原稿に折れ目がありプラテン２７上に置いたときに浮きがあっても原稿搬送装置２を閉じることにより底板２５がバネ８１およびバネ８２で付勢され、原稿がプラテン２７に密着するようになり、きれいに画像が読み取られるようになる。
【００４４】
本発明において、第２の原稿読取り装置４は設けられていなくてもよく、その場合は両面に画像が付された原稿は自動搬送原稿読取り部２７ａで原稿の表裏を別個に読み取らせることで両面を読み取ることができる。
【産業上の利用可能性】
【００４５】
本発明に係る原稿搬送装置２の構成は、画像形成装置に限らず、原稿読取り装置を備えるスキャナ等にも利用できる。
【図面の簡単な説明】
【００４６】
【図１】複写機の概略構成図。
【図２】原稿搬送装置を開き底板を閉じた状態の複写機上部の外観斜視図。
【図３】底板を開いた状態の原稿搬送装置の下方からの外観斜視図。
【図４】底板を開いた状態の原稿搬送装置の概略構成図。
【図５】底板を開く様子を示す原稿搬送装置の部分概略構成図。
【図６】取っ手およびフックを設けた状態の原稿搬送路下面部材周辺の正面からみた概略構成図。
【図７】付勢手段を設けた底板の支点近傍の概略構成図。
【図８】付勢手段を設けた原稿搬送路下面部材の部分概略構成図。
【図９】付勢手段を設けた原稿搬送路下面部材の外観の部分正面図。
【符号の説明】
【００４７】
１      複写機本体ハウジング
２      原稿搬送装置
３      第１の原稿読取り装置
４      第２の画像読取り装置
２１      原稿搬送装置本体
２５      底板
２５ａ    支点
２５ｂ    側壁
２５ｃ    溝
２７      プラテン
２７ａ    自動搬送原稿読取り部
２７ｂ    静置原稿読取り部
２８      自動搬送原稿裏面読取り部
４１      バネ
４２      バネ
４３      浮動部材
４４      浮動部材
７１      原稿搬送路下面部材
７１ａ    結合ピン
７１ｂ    取っ手
７２      ロック手段
７２ａ    フック
７２ｂ    ロック用ピン
【図１】
2005348303.tif 000003
【図２】
2005348303.tif 000004
【図３】
2005348303.tif 000005
【図４】
2005348303.tif 000006
【図５】
2005348303.tif 000007
【図６】
2005348303.tif 000008
【図７】
2005348303.tif 000009
【図８】
2005348303.tif 000010
【図９】
2005348303.tif 000011